(57)【特許請求の範囲】
【請求項１】
三原色及び白の４色の複数の画素が交互にマトリックス状に配列させて形成され、互いに隣合う前記三原色及び白の各色１つずつの４つの画素を１単位とする複数の表示要素によりカラー画像を表示する液晶表示素子の駆動方法において、
入力された三原色の階調データに基づいて、
前記三原色及び白の４色の画素それぞれの最大階調輝度に対するこれらの画素を駆動するための駆動階調データに対応する輝度の割合を輝度率、
前記複数の表示要素毎の前記三原色の画素相互の前記輝度率の差の絶対値のうちの最大値を最大輝度率差とするとき、
前記複数の表示要素毎の前記三原色及び白の４色の画素の前記輝度率がそれぞれ、前記三原色の画素それぞれの前記輝度率に、前記白色画素の特性に応じて予め定めた任意の値の設定輝度率の前記最大輝度率差に相当する階調数以外の階調数に対応する割合の輝度率を加算し、その加算値から前記白色画素の前記輝度率を差し引いた値になるように、前記複数の表示要素毎の三原色及び白の４色の駆動階調データを設定し、これらの駆動階調データにそれぞれ対応した前記４色のデータ信号を前記複数の表示要素の三原色及び白の４色の画素にそれぞれ供給することを特徴とする液晶表示素子の駆動方法。
【請求項２】
赤、緑、青及び白の４色の複数の画素が交互にマトリックス状に配列させて形成され、互いに隣合う前記赤、緑、青及び白の各色１つずつの４つの画素を１単位とする複数の表示要素によりカラー画像を表示する液晶表示素子の駆動方法において、
入力された赤、緑、青の３色の階調データに基づいて、
前記赤、緑、青及び白の４色の画素それぞれの最大階調輝度をＬｍａｘＲ，ＬｍａｘＧ，ＬｍａｘＢ，ＬｍａｘＷ、
前記赤、緑、青の３色の画素それぞれの前記入力された赤、緑、青の３色の階調データに対応する輝度を入力データ対応輝度ＬＲ，ＬＧ，ＬＢ、
前記赤、緑、青の３色の画素それぞれの前記最大階調輝度ＬｍａｘＲ，ＬｍａｘＧ，ＬｍａｘＢに対する前記入力データ対応輝度ＬＲ，ＬＧ，ＬＢの割合ＬＲ／ＬｍａｘＲ，ＬＧ／ＬｍａｘＧ，ＬＢ／ＬｍａｘＢをそれぞれ入力データ対応輝度率ＲＲ，ＲＧ，ＲＢ、
前記複数の表示要素毎の前記赤、緑、青の３色の画素相互の前記入力データ対応輝度率ＲＲ，ＲＧ，ＲＢの差の絶対値｜ＲＲ−ＲＧ｜，｜ＲＧ−ＲＢ｜，｜ＲＢ−ＲＲ｜のうちの最大値を最大輝度率差dｍａｘ、
前記赤、緑、青及び白の４色の画素それぞれのこれらの画素を駆動するための駆動階調データに対応する輝度を駆動データ対応輝度Ｌ′Ｒ，Ｌ′Ｇ，Ｌ′Ｂ，Ｌ′Ｗ、
前記赤、緑、青及び白の４色の画素それぞれの前記最大階調輝度ＬｍａｘＲ，ＬｍａｘＧ，ＬｍａｘＢ，ＬｍａｘＷに対する前記駆動データ対応輝度Ｌ′Ｒ，Ｌ′Ｇ，Ｌ′Ｂ，Ｌ′Ｗの割合Ｌ′Ｒ／ＬｍａｘＲ，Ｌ′Ｇ／ＬｍａｘＧ，Ｌ′Ｂ／ＬｍａｘＢ，Ｌ′Ｗ／ＬｍａｘＷをそれぞれ駆動データ対応輝度率Ｒ′Ｒ，Ｒ′Ｇ，Ｒ′Ｂ，Ｒ′Ｗとするとき、
前記駆動データ対応輝度率Ｒ′Ｒ，Ｒ′Ｇ，Ｒ′Ｂ，Ｒ′Ｗが、
Ｒ′Ｒ＝ＲＲ{１＋ｔ（１−dｍａｘ）}−Ｒ′Ｗ・ＬｍａｘＷ／（ＬｍａｘＲ＋ＬｍａｘＧ＋ＬｍａｘＢ）
Ｒ′Ｇ＝ＲＧ{１＋ｔ（１−dｍａｘ）}−Ｒ′Ｗ・ＬｍａｘＷ／（ＬｍａｘＲ＋ＬｍａｘＧ＋ＬｍａｘＢ）
Ｒ′Ｂ＝ＲＢ{１＋ｔ（１−dｍａｘ）}−Ｒ′Ｗ・ＬｍａｘＷ／（ＬｍａｘＲ＋ＬｍａｘＧ＋ＬｍａｘＢ）
ただし、tは、０以上、ＬｍａｘＷ／（ＬｍａｘＷ＋ＬｍａｘＧ＋ＬｍａｘＢ）以下の範囲の予め定めた任意の値、
を満足する階調値に設定された前記複数の表示要素毎の赤、緑、青及び白の４色の駆動階調データを生成し、これらの駆動階調データにそれぞれ対応した前記４色のデータ信号を前記複数の表示要素の赤、緑、青及び白の４色の画素にそれぞれ供給することを特徴とする液晶表示素子の駆動方法。
【請求項３】
前記液晶表示素子は、赤、緑、青及び白の４色の画素それぞれの輝度がこれらの画素を駆動するための駆動階調データの階調値に比例し、且つ白色画素の最大階調輝度ＬｍａｘＷが、赤、緑、青の３色の画素それぞれの最大階調輝度ＬｍａｘＲ，ＬｍａｘＧ，ＬｍａｘＢの和と等しい特性を有しており、
複数の表示要素毎の赤、緑、青及び白の４色の駆動階調データは、
入力された赤、緑、青の３色の階調データの階調値をＤＲ，ＤＧ，ＤＢ、前記赤、緑、青及び白の４色の駆動階調データの階調値をＤ′Ｒ，Ｄ′Ｇ，Ｄ′Ｂ，Ｄ′Ｗとするとき、
Ｄ′ＲはＤＲ{１＋ｔ（１−dｍａｘ）}−Ｃを整数化した値
Ｄ′ＧはＤＧ{１＋ｔ（１−dｍａｘ）}−Ｃを整数化した値
Ｄ′ＢはＤＢ{１＋ｔ（１−dｍａｘ）}−Ｃを整数化した値
Ｄ′ＷはＣを整数化した値
ただし、ｔ＝１、Ｃは、ＤＲ{１＋ｔ（１−dｍａｘ）}，ＤＧ{１＋ｔ（１−dｍａｘ）}，ＤＢ{１＋ｔ（１−dｍａｘ）}のうちの最も小さい値をＤｍｉｎとするとき、前記Ｄｍｉｎが最大階調未満の場合はそのＤｍｉｎを整数化した値、前記Ｄｍｉｎが前記最大階調以上の場合は前記最大階調の値とする、
の諧調値にそれぞれ設定されることを特徴とする請求項２に記載の液晶表示素子の駆動方法。
【請求項４】
前記液晶表示素子は、赤、緑、青及び白の４色の画素それぞれの輝度がこれらの画素を駆動するための駆動階調データの階調値に比例し、且つ白色画素の最大階調輝度ＬｍａｘＷが、赤、緑、青の３色の画素それぞれの最大階調輝度ＬｍａｘＲ，ＬｍａｘＧ，ＬｍａｘＢの和と異なる特性を有しており、
複数の表示要素毎の赤、緑、青及び白の４色の駆動階調データは、
入力された赤、緑、青の３色の階調データの階調値をＤＲ，ＤＧ，ＤＢ、前記赤、緑、青及び白の４色の駆動階調データの階調値をＤ′Ｒ，Ｄ′Ｇ，Ｄ′Ｂ，Ｄ′Ｗとするとき、
Ｄ′ＲはＤＲ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＧはＤＧ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＢはＤＢ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＷはＣ′を整数化した値
ただし、ｔ＝１、Ｃ′は、ＤＲ{１＋ｔ（１−dｍａｘ）}（ＬｍａｘＲ＋ＬｍａｘＧ＋ＬｍａｘＢ）／ＬｍａｘＷ，ＤＧ{１＋ｔ（１−dｍａｘ）}（ＬｍａｘＲ＋ＬｍａｘＧ＋ＬｍａｘＢ）／ＬｍａｘＷ，ＤＢ{１＋ｔ（１−dｍａｘ）}（ＬｍａｘＲ＋ＬｍａｘＧ＋ＬｍａｘＢ）／ＬｍａｘＷのうちの最も小さい値をＤ′ｍｉｎとするとき、前記Ｄ′ｍｉｎが最大階調未満の場合はそのＤ′ｍｉｎを整数化した値、前記Ｄ′ｍｉｎが前記最大階調以上の場合は最大階調の値とする、
の諧調値にそれぞれ設定されることを特徴とする請求項２に記載の液晶表示素子の駆動方法。
【請求項５】
前記液晶表示素子は、赤、緑、青及び白の４色の画素それぞれの輝度がこれらの画素を駆動するための駆動階調データの階調値の比例以外の関数で表され、且つ白色画素の最大階調輝度ＬｍａｘＷが、赤、緑、青の３色の画素それぞれの最大階調輝度ＬｍａｘＲ，ＬｍａｘＧ，ＬｍａｘＢの和と等しい特性を有しており、
複数の表示要素毎の赤、緑、青及び白の４色の駆動階調データは、
入力された赤、緑、青の３色の階調データをＤＲ，ＤＧ，ＤＢ、前記赤、緑、青及び白の４色の駆動階調データをＤ′Ｒ，Ｄ′Ｇ，Ｄ′Ｂ，Ｄ′Ｗとするとき、
前記赤、緑、青の３色の階調データＤＲ，ＤＧ，ＤＢをそれぞれ輝度ＬＲ，ＬＧ，ＬＢに変換し、
Ｌ′Ｒ／ＬｍａｘＲ＝ＬＲ{１＋ｔ（１−dｍａｘ）}／ＬｍａｘＲ−Ｃ″・ＬｍａｘＷ／（ＬｍａｘＲ＋ＬｍａｘＧ＋ＬｍａｘＢ）
Ｌ′Ｇ／ＬｍａｘＧ＝ＬＧ{１＋ｔ（１−dｍａｘ）}／ＬｍａｘＧ−Ｃ″・ＬｍａｘＷ／（ＬｍａｘＲ＋ＬｍａｘＧ＋ＬｍａｘＢ）
Ｌ′Ｂ／ＬｍａｘＢ＝ＬＢ{１＋ｔ（１−dｍａｘ）}／ＬｍａｘＢ−Ｃ″・ＬｍａｘＷ／（ＬｍａｘＲ＋ＬｍａｘＧ＋ＬｍａｘＢ）
Ｌ′Ｗ／ＬｍａｘＷ＝Ｃ″
ただし、ｔ＝１、Ｃ″は、ＬＲ{１＋ｔ（１−dｍａｘ）}（ＬｍａｘＲ＋ＬｍａｘＧ＋ＬｍａｘＢ）／ＬｍａｘＲ・ＬｍａｘＷ，ＬＧ{１＋ｔ（１−dｍａｘ）}（ＬｍａｘＲ＋ＬｍａｘＧ＋ＬｍａｘＢ）／ＬｍａｘＧ・ＬｍａｘＷ，ＬＢ{１＋ｔ（１−dｍａｘ）}（ＬｍａｘＲ＋ＬｍａｘＧ＋ＬｍａｘＢ）／ＬｍａｘＢ・ＬｍａｘＷのうちの最も小さい値をＤ″ｍｉｎとするとき、前記Ｄ″ｍｉｎが１以下の場合はそのＤ″ｍｉｎを整数化した値、前記Ｄ″ｍｉｎが１より大きい場合は１とする、
の各式により前記赤、緑、青及び白の４色の画素それぞれの駆動データ対応輝度Ｌ′Ｒ，Ｌ′Ｇ，Ｌ′Ｂ，Ｌ′Ｗを求め、これらの駆動データ対応輝度Ｌ′Ｒ，Ｌ′Ｇ，Ｌ′Ｂ，Ｌ′Ｗを階調値に逆変換した値の諧調値にそれぞれ設定されることを特徴とする請求項２に記載の液晶表示素子の駆動方法。
【発明の詳細な説明】
【技術分野】
【０００１】
この発明は、三原色及び白の各色１つずつの４つの画素を１単位とする複数の表示要素によりカラー画像を表示する液晶表示素子の駆動方法に関する。
【背景技術】
【０００２】
従来、カラー液晶表示素子（以下、３色画素表示素子という）は、赤、緑、青の３色の画素により１つの表示要素を構成し、１つの色を定義するために入力された赤、緑、青の３色の階調データに応して、前記３色の階調データに対応する赤、緑、青の３色のデータ信号を前記赤、緑、青の３色の画素にそれぞれ供給することにより駆動されている。
【０００３】
この３色画素表示素子に対して、明るい画像を表示するために、例えば赤、緑、青の三原色及び白の４色の複数の画素が交互にマトリックス状に配列させて形成され、互いに隣合う赤、緑、青及び白の各色１つずつの４つの画素を１単位とする複数の表示要素によりカラー画像を表示する液晶表示素子が提案されている（特許文献１参照）。
【０００４】
この液晶表示素子は、赤、緑、青の３色の画素に白色の画素を加えた４色の画素により１つの表示要素を構成しているため、画面を明るくすることができる。
【０００５】
前記赤、緑、青及び白の４色の画素により１つの表示要素を構成した液晶表示素子は、入力された赤、緑、青の３色の階調データに基づいて、これらの３色の階調データのうちの最小値の階調データからバイアス値を演算により定めてその値を白色画素の駆動階調データとし、前記入力された赤、緑、青の３色の階調データからそれぞれ前記白色画素の駆動階調データの階調値を減算して赤、緑、青の３色の画素それぞれの駆動階調データを求め、これらの駆動階調データにそれぞれ対応した赤、緑、青及び白の４色のデータ信号を赤、緑、青及び白の４色の画素にそれぞれ供給する方法で駆動されている（特許文献２参照）。
【特許文献１】特開平１−２５９３９６号公報
【特許文献２】特開平４−１３０３９５号公報
【発明の開示】
【発明が解決しようとする課題】
【０００６】
しかし、前記赤、緑、青及び白の４色の画素により１つの表示要素を構成した液晶表示素子（以下、４色画素表示素子という）を上記従来の駆動方法で駆動する液晶表示装置は、入力された赤、緑、青の３色の階調データに対応した色再現性の良いカラー画像を表示することができない。
【０００７】
すなわち、前記４色画素表示素子を上記従来の駆動方法で駆動する液晶表示装置は、入力された赤、緑、青の３色の階調データの階調値が互いに異なるとき、つまり前記赤、緑、青の３色の階調データが、赤、緑、青の３色を互いに異なる比率で混色させた中間色を定めたデータであるときに、前記４色画素表示素子による表示色に、従来の３色画素表示素子の表示色に対する色ずれが生じる。
【０００８】
例えば、入力された赤、緑、青の３色の階調データがそれぞれ階調値が０〜６３の６４階調のデータであり、また、前記３色画素表示素子及び４色画素表示素子の各色の画素それぞれの輝度がこれらの画素を駆動するための駆動階調データの階調値に比例する場合、入力された赤、緑、青の３色の階調データのうちの赤の階調データの階調値が４７、緑の階調データの階調値が２９、青の階調データの階調値が１５のとき、１つの表示要素の表示の色度、つまりｘ，ｙコーディネイト値は、前記３色画素表示素子を前記赤、緑、青の３色の階調データに対応した３色のデータ信号を赤、緑、青の３色の画素にそれぞれ供給することにより駆動したときはｘ＝０．３８，ｙ＝０．３８であるのに対して、前記４色画素表示素子を前記従来の駆動方法により駆動したときはｘ＝０．３５，ｙ＝０．３６である。
【０００９】
このように、前記４色画素表示素子を上記従来の駆動方法で駆動する液晶表示装置は、入力された赤、緑、青の３色の階調データが中間色を定めたデータであるときに表示色に色ずれが生じ、入力された赤、緑、青の３色の階調データに対応した色再現性の良いカラー画像を表示することができない。
【００１０】
この発明は、三原色及び白の４色の画素により１つの表示要素を構成した液晶表示素子を、色再現性を良く表示させることができる駆動方法を提供することを目的としたものである。
【課題を解決するための手段】
【００１１】
この発明の請求項１に記載の液晶表示素子の駆動方法は、
三原色及び白の４色の複数の画素が交互にマトリックス状に配列させて形成され、互いに隣合う前記三原色及び白の各色１つずつの４つの画素を１単位とする複数の表示要素によりカラー画像を表示する液晶表示素子の駆動方法において、
入力された三原色の階調データに基づいて、
前記三原色及び白の４色の画素それぞれの最大階調輝度に対するこれらの画素を駆動するための駆動階調データに対応する輝度の割合を輝度率、
前記複数の表示要素毎の前記三原色の画素相互の前記輝度率の差の絶対値のうちの最大値を最大輝度率差とするとき、
前記複数の表示要素毎の前記三原色及び白の４色の画素の前記輝度率がそれぞれ、前記三原色の画素それぞれの前記輝度率に、前記白色画素の特性に応じて予め定めた任意の値の設定輝度率の前記最大輝度率差に相当する階調数以外の階調数に対応する割合の輝度率を加算し、その加算値から前記白色画素の前記輝度率を差し引いた値になるように、前記複数の表示要素毎の三原色及び白の４色の駆動階調データを設定し、これらの駆動階調データにそれぞれ対応した前記４色のデータ信号を前記複数の表示要素の三原色及び白の４色の画素にそれぞれ供給することを特徴とする。
【００１２】
この発明の請求項２に記載の液晶表示素子の駆動方法は、
赤、緑、青及び白の４色の複数の画素が交互にマトリックス状に配列させて形成され、互いに隣合う前記赤、緑、青及び白の各色１つずつの４つの画素を１単位とする複数の表示要素によりカラー画像を表示する液晶表示素子の駆動方法において、
入力された赤、緑、青の３色の階調データに基づいて、
前記赤、緑、青及び白の４色の画素それぞれの最大階調輝度をＬｍａｘＲ，ＬｍａｘＧ，ＬｍａｘＢ，ＬｍａｘＷ、
前記赤、緑、青の３色の画素それぞれの前記入力された赤、緑、青の３色の階調データに対応する輝度を入力データ対応輝度ＬＲ，ＬＧ，ＬＢ、
前記赤、緑、青の３色の画素それぞれの前記最大階調輝度ＬｍａｘＲ，ＬｍａｘＧ，ＬｍａｘＢに対する前記入力データ対応輝度ＬＲ，ＬＧ，ＬＢの割合ＬＲ／ＬｍａｘＲ，ＬＧ／ＬｍａｘＧ，ＬＢ／ＬｍａｘＢをそれぞれ入力データ対応輝度率ＲＲ，ＲＧ，ＲＢ、
前記複数の表示要素毎の前記赤、緑、青の３色の画素相互の前記入力データ対応輝度率ＲＲ，ＲＧ，ＲＢの差の絶対値｜ＲＲ−ＲＧ｜，｜ＲＧ−ＲＢ｜，｜ＲＢ−ＲＲ｜のうちの最大値を最大輝度率差dｍａｘ、
前記赤、緑、青及び白の４色の画素それぞれのこれらの画素を駆動するための駆動階調データに対応する輝度を駆動データ対応輝度Ｌ′Ｒ，Ｌ′Ｇ，Ｌ′Ｂ，Ｌ′Ｗ、
前記赤、緑、青及び白の４色の画素それぞれの前記最大階調輝度ＬｍａｘＲ，ＬｍａｘＧ，ＬｍａｘＢ，ＬｍａｘＷに対する前記駆動データ対応輝度Ｌ′Ｒ，Ｌ′Ｇ，Ｌ′Ｂ，Ｌ′Ｗの割合Ｌ′Ｒ／ＬｍａｘＲ，Ｌ′Ｇ／ＬｍａｘＧ，Ｌ′Ｂ／ＬｍａｘＢ，Ｌ′Ｗ／ＬｍａｘＷをそれぞれ駆動データ対応輝度率Ｒ′Ｒ，Ｒ′Ｇ，Ｒ′Ｂ，Ｒ′Ｗとするとき、
前記駆動データ対応輝度率Ｒ′Ｒ，Ｒ′Ｇ，Ｒ′Ｂ，Ｒ′Ｗが、
Ｒ′Ｒ＝ＲＲ{１＋ｔ（１−dｍａｘ）}−Ｒ′Ｗ・ＬｍａｘＷ／（ＬｍａｘＲ＋ＬｍａｘＧ＋ＬｍａｘＢ）
Ｒ′Ｇ＝ＲＧ{１＋ｔ（１−dｍａｘ）}−Ｒ′Ｗ・ＬｍａｘＷ／（ＬｍａｘＲ＋ＬｍａｘＧ＋ＬｍａｘＢ）
Ｒ′Ｂ＝ＲＢ{１＋ｔ（１−dｍａｘ）}−Ｒ′Ｗ・ＬｍａｘＷ／（ＬｍａｘＲ＋ＬｍａｘＧ＋ＬｍａｘＢ）
ただし、tは、０以上、ＬｍａｘＷ／（ＬｍａｘＷ＋ＬｍａｘＧ＋ＬｍａｘＢ）以下の範囲の予め定めた任意の値、
を満足する階調値に設定された前記複数の表示要素毎の赤、緑、青及び白の４色の駆動階調データを生成し、これらの駆動階調データにそれぞれ対応した前記４色のデータ信号を前記複数の表示要素の赤、緑、青及び白の４色の画素にそれぞれ供給することを特徴とする。
【００１３】
請求項３に記載の発明は、前記請求項２に記載の液晶表示素子の駆動方法において、
前記液晶表示素子は、赤、緑、青及び白の４色の画素それぞれの輝度がこれらの画素を駆動するための駆動階調データの階調値に比例し、且つ白色画素の最大階調輝度ＬｍａｘＷが、赤、緑、青の３色の画素それぞれの最大階調輝度ＬｍａｘＲ，ＬｍａｘＧ，ＬｍａｘＢの和と等しい特性を有しており、
複数の表示要素毎の赤、緑、青及び白の４色の駆動階調データは、
入力された赤、緑、青の３色の階調データの階調値をＤＲ，ＤＧ，ＤＢ、前記赤、緑、青及び白の４色の駆動階調データの階調値をＤ′Ｒ，Ｄ′Ｇ，Ｄ′Ｂ，Ｄ′Ｗとするとき、
Ｄ′ＲはＤＲ{１＋ｔ（１−dｍａｘ）}−Ｃを整数化した値
Ｄ′ＧはＤＧ{１＋ｔ（１−dｍａｘ）}−Ｃを整数化した値
Ｄ′ＢはＤＢ{１＋ｔ（１−dｍａｘ）}−Ｃを整数化した値
Ｄ′ＷはＣを整数化した値
ただし、ｔ＝１、Ｃは、ＤＲ{１＋ｔ（１−dｍａｘ）}，ＤＧ{１＋ｔ（１−dｍａｘ）}，ＤＢ{１＋ｔ（１−dｍａｘ）}のうちの最も小さい値をＤｍｉｎとするとき、前記Ｄｍｉｎが最大階調未満の場合はそのＤｍｉｎを整数化した値、前記Ｄｍｉｎが前記最大階調以上の場合は前記最大階調の値とする、
の諧調値にそれぞれ設定されることを特徴とする。
【００１４】
請求項４に記載の発明は、前記請求項２に記載の液晶表示素子の駆動方法において、
前記液晶表示素子は、赤、緑、青及び白の４色の画素それぞれの輝度がこれらの画素を駆動するための駆動階調データの階調値に比例し、且つ白色画素の最大階調輝度ＬｍａｘＷが、赤、緑、青の３色の画素それぞれの最大階調輝度ＬｍａｘＲ，ＬｍａｘＧ，ＬｍａｘＢの和と異なる特性を有しており、
前記複数の表示要素毎の赤、緑、青及び白の４色の駆動階調データは、
入力された赤、緑、青の３色の階調データの階調値をＤＲ，ＤＧ，ＤＢ、前記赤、緑、青及び白の４色の駆動階調データの階調値をＤ′Ｒ，Ｄ′Ｇ，Ｄ′Ｂ，Ｄ′Ｗとするとき、
Ｄ′ＲはＤＲ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＧはＤＧ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＢはＤＢ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＷはＣ′を整数化した値
ただし、ｔ＝１、Ｃ′は、ＤＲ{１＋ｔ（１−dｍａｘ）}（ＬｍａｘＲ＋ＬｍａｘＧ＋ＬｍａｘＢ）／ＬｍａｘＷ，ＤＧ{１＋ｔ（１−dｍａｘ）}（ＬｍａｘＲ＋ＬｍａｘＧ＋ＬｍａｘＢ）／ＬｍａｘＷ，ＤＢ{１＋ｔ（１−dｍａｘ）}（ＬｍａｘＲ＋ＬｍａｘＧ＋ＬｍａｘＢ）／ＬｍａｘＷのうちの最も小さい値をＤ′ｍｉｎとするとき、前記Ｄ′ｍｉｎが最大階調未満の場合はそのＤ′ｍｉｎを整数化した値、前記Ｄ′ｍｉｎが前記最大階調以上の場合は最大階調の値とする、
の諧調値にそれぞれ設定されることを特徴とする。
【００１５】
請求項５に記載の発明は、前記請求項２に記載の液晶表示素子の駆動方法において、
前記液晶表示素子は、赤、緑、青及び白の４色の画素それぞれの輝度がこれらの画素を駆動するための駆動階調データの階調値の比例以外の関数で表され、且つ白色画素の最大階調輝度ＬｍａｘＷが、赤、緑、青の３色の画素それぞれの最大階調輝度ＬｍａｘＲ，ＬｍａｘＧ，ＬｍａｘＢの和と等しい特性を有しており、
複数の表示要素毎の赤、緑、青及び白の４色の駆動階調データは、
入力された赤、緑、青の３色の階調データをＤＲ，ＤＧ，ＤＢ、前記赤、緑、青及び白の４色の駆動階調データをＤ′Ｒ，Ｄ′Ｇ，Ｄ′Ｂ，Ｄ′Ｗとするとき、
前記赤、緑、青の３色の階調データＤＲ，ＤＧ，ＤＢをそれぞれ輝度ＬＲ，ＬＧ，ＬＢに変換し、
Ｌ′Ｒ／ＬｍａｘＲ＝ＬＲ{１＋ｔ（１−dｍａｘ）}／ＬｍａｘＲ−Ｃ″・ＬｍａｘＷ／（ＬｍａｘＲ＋ＬｍａｘＧ＋ＬｍａｘＢ）
Ｌ′Ｇ／ＬｍａｘＧ＝ＬＧ{１＋ｔ（１−dｍａｘ）}／ＬｍａｘＧ−Ｃ″・ＬｍａｘＷ／（ＬｍａｘＲ＋ＬｍａｘＧ＋ＬｍａｘＢ）
Ｌ′Ｂ／ＬｍａｘＢ＝ＬＢ{１＋ｔ（１−dｍａｘ）}／ＬｍａｘＢ−Ｃ″・ＬｍａｘＷ／（ＬｍａｘＲ＋ＬｍａｘＧ＋ＬｍａｘＢ）
Ｌ′Ｗ／ＬｍａｘＷ＝Ｃ″
ただし、ｔ＝１、Ｃ″は、ＬＲ{１＋ｔ（１−dｍａｘ）}（ＬｍａｘＲ＋ＬｍａｘＧ＋ＬｍａｘＢ）／ＬｍａｘＲ・ＬｍａｘＷ，ＬＧ{１＋ｔ（１−dｍａｘ）}（ＬｍａｘＲ＋ＬｍａｘＧ＋ＬｍａｘＢ）／ＬｍａｘＧ・ＬｍａｘＷ，ＬＢ{１＋ｔ（１−dｍａｘ）}（ＬｍａｘＲ＋ＬｍａｘＧ＋ＬｍａｘＢ）／ＬｍａｘＢ・ＬｍａｘＷのうちの最も小さい値をＤ″ｍｉｎとするとき、前記Ｄ″ｍｉｎが１以下の場合はそのＤ″ｍｉｎを整数化した値、前記Ｄ″ｍｉｎが１より大きい場合は１とする、
の各式により前記赤、緑、青及び白の４色の画素それぞれの駆動データ対応輝度Ｌ′Ｒ，Ｌ′Ｇ，Ｌ′Ｂ，Ｌ′Ｗを求め、これらの駆動データ対応輝度Ｌ′Ｒ，Ｌ′Ｇ，Ｌ′Ｂ，Ｌ′Ｗを階調値に逆変換した値の諧調値にそれぞれ設定されることを特徴とする。
【発明の効果】
【００１６】
この発明の駆動方法によれば、色再現性の良いカラー画像を表示させることができる。
【発明を実施するための最良の形態】
【００１７】
図１は液晶表示装置の構成図であり、この液晶表示装置は、加法混色における赤、緑、青の三原色及び白の４色の複数の画素１３Ｒ，１３Ｇ，１３Ｂ，１３Ｗ（図２参照）が交互にマトリックス状に配列させて形成された液晶表示素子１と、入力された前記三原色（赤、緑、青の３色）の階調データに基づいて赤、緑、青及び白の４色の階調データを生成し、４つの各画素を備えた前記液晶表示素子１を駆動する駆動手段１５と、により構成されている。
【００１８】
図２は前記液晶表示素子１の一部分の断面図であり、この液晶表示素子１は、予め定めた間隙を設けて対向配置された一対の透明基板２，３と、これらの基板２，３間の間隙に封入された液晶層４と、前記一対の基板２，３の一方、例えば観察側（図において上側）とは反対側の基板２の内面に、行方向（画面の左右方向）及び列方向（画面の上下方向）にマトリックス状に配列させて形成された複数の透明な画素電極５と、他方の基板、つまり観察側の基板３の内面に、前記複数の画素電極５の配列領域に対応させて形成された一枚膜状の透明な対向電極６と、前記一対の基板２，３の外面にそれぞれ配置された一対の偏光板１１，１２とからなっている。
【００１９】
この液晶表示素子１は、ＴＦＴ（薄膜トランジスタ）を能動素子としたアクティブマトリックス液晶表示素子であり、図１では省略しているが、前記複数の画素電極５が形成された反対側基板２の内面に、前記複数の画素電極５にそれぞれ対応させて配置され、これらの画素電極５にそれぞれ接続された複数のＴＦＴと、各行のＴＦＴにゲート信号を供給するための複数の走査線と、各列のＴＦＴにデータ信号を供給するための複数のデータ線とが設けられている。
【００２０】
この液晶表示素子１は、その観察側とは反対側に配置された図示しない面光源から照射された光の透過率を制御して画像を表示するものであり、前記複数の画素電極５と前記対向電極６とが互いに対向する領域により、前記データ信号の供給、つまり前記電極５，６間への前記データ信号に対応した電圧の印加により前記液晶層４の液晶分子の配向状態を変化させて光の透過率を制御する複数の画素１３Ｒ，１３Ｇ，１３Ｂ，１３Ｗが形成されている。
【００２１】
前記複数の画素１３Ｒ，１３Ｇ，１３Ｂ，１３Ｗのうちの１／４の数の画素１３Ｒは、赤色カラーフィルタ７Ｒを備えた赤色画素、他の１／４の数の画素１３Ｇは、緑色カラーフィルタ７Ｇを備えた緑色画素、さらに他の１／４の数の画素１３Ｂは、青色カラーフィルタ７Ｂを備えた青色画素、残りの１／４の数の画素１３Ｗは、カラーフィルタを備えない白色画素であり、前記赤、緑、青及び白の各色の複数の画素１３Ｒ，１３Ｇ，１３Ｂ，１３Ｗが、交互にマトリックス状に配列させて形成されている。
【００２２】
前記カラーフィルタ７Ｒ，７Ｇ，７Ｂは、前記一対の基板２，３のいずれか一方、例えば観察側基板３の内面に形成されており、さらに前記観察側基板３の内面には、前記白色画素１３Ｗにそれぞれ対応させて、この白色画素１３Ｗの液晶層厚を、前記赤、緑、青の３色の画素１３Ｒ，１３Ｇ，１３Ｂの液晶層厚と同程度に調整するための無色の透明膜８が形成されている。
【００２３】
なお、前記対向電極６は、前記カラーフィルタ７Ｒ，７Ｇ，７Ｂ及び前記無色の透明膜８の上に形成されており、また、前記一対の基板２，３の内面にはそれぞれ、前記複数の画素電極５及び対向電極６を覆って配向膜９，１０が設けられている。
【００２４】
そして、前記一対の基板２，３は、予め定めた間隙を設けて対向配置され、前記複数の画素１３Ｒ，１３Ｇ，１３Ｂ，１３Ｗがマトリックス状に配列された画面領域を囲む枠状のシール材（図示せず）を介して接合されており、これらの基板２，３間の前記シール材で囲まれた領域に液晶層４が封入されている。
【００２５】
この液晶表示素子１は、前記液晶層４の液晶分子をツイスト配向させたＴＮまたはＳＴＮ型、液晶分子を基板２，３面に対して垂直に配向させた垂直配向型、液晶分子をツイストさせることなく基板２，３面に対して平行に配向させた水平配向型、液晶分子をベンド配向させるベンド配向型のいずれか、あるいは強誘電性または反強誘電性液晶表示素子であり、前記一対の偏光板１１，１２は、それぞれの透過軸の向きを、各画素１３Ｒ，１３Ｇ，１３Ｂ，１３Ｗの電極５，６間に電圧を印加しないときの表示が黒または白になるように設定して配置されている。
【００２６】
なお、図１に示した液晶表示素子１は、一対の基板２，３の内面それぞれに設けられた電極５，６間に電界を生じさせて液晶分子の配向状態を変化させるものであるが、それに限らず、一対の基板のいずれか一方の内面に、複数の画素を形成するための例えば櫛状の第１と第２の電極を設け、これらの電極間に横電界（基板面に沿う方向の電界）を生じさせて液晶分子の配向状態を変化させる横電界制御型のものでもよい。
【００２７】
前記液晶表示素子１は、互いに隣合う前記赤、緑、青及び白の各色１つずつの４つの画素１３Ｒ，１３Ｇ，１３Ｂ，１３Ｗを１単位とする複数の表示要素１４によりカラー画像を表示する。
【００２８】
図３〜図６はそれぞれ前記液晶表示素子１の画素配列例を示しており、これらの図では、互いに隣合う４つの画素１３Ｒ，１３Ｇ，１３Ｂ，１３Ｗにより構成された複数の表示要素１４をそれぞれ太線で囲んでいる。
【００２９】
図３に示した画素配列例は、各行毎に、赤、緑、青及び白の４色の画素１３Ｒ，１３Ｇ，１３Ｂ，１３Ｗを、同じ順序、例えば赤色画素１３Ｒ、白色画素１３Ｗ、緑色画素１３Ｇ、青色画素１３Ｂの順で交互に並べて配列したものであり、各行毎に、互いに隣合う赤、緑、青及び白の各色１つずつの４つの画素１３Ｒ，１３Ｇ，１３Ｂ，１３Ｗからなる複数の表示要素１４が構成されている。
【００３０】
図４に示した画素配列例は、各行毎に、赤、緑、青及び白の４色の画素１３Ｒ，１３Ｇ，１３Ｂ，１３Ｗを交互に、且つ奇数行と偶数行とで並び順を異ならせて配列したものであり、各行毎に、互いに隣合う赤、緑、青及び白の各色１つずつの４つの画素１３Ｒ，１３Ｇ，１３Ｂ，１３Ｗからなる複数の表示要素１４が構成されている。
【００３１】
図５に示した画素配列例は、奇数行に、赤、緑、青及び白の４色のうちの２つの色の画素、例えば赤色画素１３Ｒと白色画素１３Ｗとを交互に並べて配列し、偶数行に、前記赤、緑、青及び白の４色のうちの他の２つの色の画素、例えば緑色画素１３Ｇと青色画素１３Ｂとを交互に並べて配列したものであり、隣合う２つの行毎に、前記２つの行及び２つの列の赤、緑、青及び白の各色１つずつの４つの画素１３Ｒ，１３Ｇ，１３Ｂ，１３Ｗからなる複数の表示要素１４が構成されている。
【００３２】
図６に示した画素配列例は、各行毎に、前記赤、緑、青及び白の４色の画素１３Ｒ，１３Ｇ，１３Ｂ，１３Ｗを交互に、且つ奇数行と偶数行とで並び順を異ならせて配列するとともに、前記奇数行の画素配列と前記偶数行の画素配列とを、行方向に１／２ピッチずらしたものであり、各行毎に、互いに隣合う赤、緑、青及び白の各色１つずつの４つの画素１３Ｒ，１３Ｇ，１３Ｂ，１３Ｗからなる複数の表示要素１４が構成されている。
【００３３】
なお、前記液晶表示素子１の画素配列は、前記図３〜図６の配列に限らず、互いに隣合う赤、緑、青及び白の各色１つずつの４つの画素１３Ｒ，１３Ｇ，１３Ｂ，１３Ｗにより１つの表示要素１４を構成する配列であればよい。
【００３４】
この液晶表示素子１は、赤、緑、青及び白の４色の画素１３Ｒ，１３Ｇ，１３Ｂ，１３Ｗにより１つの表示要素１４を構成しているため、白色画素を備えず、赤、緑、青の３色の画素により１つの表示要素を構成した３色画素表示素子に比べて、画面を明るくすることができる。
【００３５】
次に、前記液晶表示素子１の駆動方法を説明すると、前記液晶表示素子１は、図１に示した駆動手段１５により、外部から入力された映像信号の赤、緑、青の３色の階調データに基づいて、前記複数の表示要素１４毎の赤、緑、青及び白の４色の画素１３Ｒ，１３Ｇ，１３Ｂ，１３Ｗを駆動するための赤、緑、青及び白の４色の駆動階調データを生成し、これらの駆動階調データにそれぞれ対応した前記４色のデータ信号を前記複数の表示要素１４の赤、緑、青及び白の４色の画素１３Ｒ，１３Ｇ，１３Ｂ，１３Ｗにそれぞれ供給することにより駆動する。
【００３６】
前記駆動手段１５は、前記液晶表示素子１の複数の走査線に順次前記ＴＦＴをオンさせるためのゲート信号を供給する走査駆動回路１６と、前記液晶表示素子１の複数のデータ線にデータ信号を供給するデータ駆動回路１７と、前記映像信号の赤、緑、青の３色の階調データに基づいて前記液晶表示素子１の複数の表示要素１４毎の赤、緑、青及び白の４色の駆動階調データを生成するための演算部１８と、前記ゲート信号に対応した電圧及び前記赤、緑、青及び白の４色の駆動階調データの階調数に対応した複数の値の電圧を発生する電源部１９と、前記走査駆動回路１６及びデータ駆動回路１７と演算部１８を制御するコントローラ２０とからなっている。
【００３７】
前記映像信号は、表示する画像に対応した同期信号と、１つの表示要素それぞれに対応した表示色を定義する赤、緑、青の３色の階調データとを含む信号であり、前記コントローラ２０に入力される。
【００３８】
前記コントローラ２０は、前記映像信号から、前記同期信号等を分離して前記走査駆動回路１６とデータ駆動回路１７とに供給し、また前記赤、緑、青の３色の階調データを前記演算部１８に供給し、これらの回路の動作を制御する。
【００３９】
前記演算部１８は、前記コントローラ２０から入力された赤、緑、青の３色の階調データに基づいて、予め定めた演算手順に従った演算により、前記液晶表示素子１の複数の表示要素１４毎の赤、緑、青及び白の４色の駆動階調データを生成し、その赤、緑、青及び白の４色の駆動階調データを前記データ駆動回路１７に供給する。
【００４０】
そして、前記走査駆動回路１６は、前記電源部１９により発生された電圧値のゲート信号を、前記コントローラ２０からの同期信号に対応して前記液晶表示素子１の複数の走査線に順次供給する。
【００４１】
前記データ駆動回路１７は、前記演算部１８からの前記赤、緑、青及び白の４色の駆動階調データにそれぞれ対応した電圧を前記電源部１９から選択し、これらの電圧値の赤、緑、青及び白の４色のデータ信号を、同期信号に対応させて前記液晶表示素子１の複数のデータ線に供給する。
【００４２】
すなわち、前記駆動手段１５は、前記液晶表示素子１の複数の画素行を、前記複数の走査線へのゲート信号の供給により順次選択し、選択行の各画素１３Ｒ，１３Ｇ，１３Ｂ，１３Ｗの画素電極５に、前記演算部１８において生成された前記複数の表示要素１４毎の赤、緑、青及び白の４色の駆動階調データにそれぞれ対応した前記４色のデータ信号を前記複数の信号線及びＴＦＴを介して供給する。
【００４３】
前記赤、緑、青及び白の４色の駆動階調データは、前記演算部１８において、前記入力された赤、緑、青の３色の階調データに基づいて、以下のように演算することによって得ることができる。
【００４４】
すなわち、前記複数の表示要素１４毎の前記赤、緑、青及び白の４色の画素１３Ｒ，１３Ｇ，１３Ｂ，１３Ｗそれぞれの最大階調輝度に対するこれらの画素１３Ｒ，１３Ｇ，１３Ｂ，１３Ｗを駆動するための前記駆動階調データに対応する輝度の割合を輝度率、前記複数の表示要素１４毎の前記赤、緑、青の３色の画素１３Ｒ，１３Ｇ，１３Ｂ相互の前記輝度率の差の絶対値のうちの最大値を最大輝度率差とするとき、前記複数の表示要素１４毎の赤、緑、青及び白の４色の画素１３Ｒ，１３Ｇ，１３Ｂ，１３Ｗの前記輝度率がそれぞれ、前記赤、緑、青の３色の画素１３Ｒ，１３Ｇ，１３Ｂそれぞれの前記輝度率に、前記白色画素１３Ｗの特性に応じて予め定めた任意の値の設定輝度率の前記最大輝度率差に相当する階調数以外の階調数に対応する割合の輝度率を加算し、その加算値から前記白色画素１３Ｗの前記輝度率を差し引いた値になるように、前記４色の駆動階調データが定められる。
【００４５】
ここで、前記赤、緑、青及び白の４色の画素１３Ｒ，１３Ｇ，１３Ｂ，１３Ｗの最大階調輝度は、これらの画素１３Ｒ，１３Ｇ，１３Ｂ，１３Ｗにそれぞれ最大階調値の階調データ（例えば入力された赤、緑、青の３色の階調データがそれぞれ階調値が０〜６３の６４段階のデータであるときは、階調値が６３の階調データ）に対応したデータ信号を供給したときの出射光の強度である。
【００４６】
この駆動方法は、前記入力された赤、緑、青の３色の階調データから、前記液晶表示素子１の赤、緑、青の３色の画素１３Ｒ，１３Ｇ，１３Ｂ相互の前記輝度率の差に基づいて、前記複数の表示要素１４毎の赤、緑、青及び白の４色の駆動階調データを演算によって生成し、これらの階調データにそれぞれ対応した前記４色のデータ信号を前記赤、緑、青及び白の４色の画素１３Ｒ，１３Ｇ，１３Ｂ，１３Ｗにそれぞれ供給することにより、前記入力された赤、緑、青の３色の階調データの階調値が互いに異なるときの、前記赤、緑、青の３色の階調データによって定められた色に対する前記表示要素１４の表示色の色ずれを低減しようとするものである。
【００４７】
この駆動方法において、前記複数の表示要素１４毎の赤、緑、青及び白の４色の駆動階調データは、前記入力された赤、緑、青の３色の階調データの階調値にそれぞれ前記赤、緑、青の３色の画素１３Ｒ，１３Ｇ，１３Ｂ相互の前記輝度率の差に応じた階調数を加算した値のうちの最も小さい値を白の駆動階調データに割り当て、前記入力された赤、緑、青の３色の階調データの階調値からそれぞれ前記白の駆動階調データに割り当てた階調数を差し引いた値をそれぞれ前記赤、緑、青の３色の駆動階調データとする。
【００４８】
さらに詳述すると、前記入力された赤、緑、青の３色の階調データが、これらの３色相互の階調差が大きいデータ、つまり１つの表示要素１４の表示色を濃い色に定めるデータであるときは、前記白色画素１３Ｗの輝度を低くするように前記赤、緑、青及び白の４色の駆動階調データを設定し、前記入力された赤、緑、青の３色の階調データが、これらの３色相互の階調差の小さいデータ、つまり１つの表示要素１４の表示色を薄い色に定めるデータであるときは、前記白色画素１３Ｗの輝度を高くするような前記赤、緑、青及び白の４色の駆動階調データを生成する。
【００４９】
前記赤、緑、青及び白の４色の駆動階調データを生成するため、この駆動方法においては、前記複数の表示要素１４毎に、前記赤、緑、青の３色の画素１３Ｒ，１３Ｇ，１３Ｂそれぞれの前記最大階調輝度に対する前記入力された赤、緑、青の３色の階調データに対応する輝度（入力された赤、緑、青の３色の階調データに対応したデータ信号を供給したときの出射光の強度）の割合である入力データ対応輝度率を求め、さらに、前記３色の画素１３Ｒ，１３Ｇ，１３Ｂ相互の前記入力データ対応輝度率の差の絶対値のうちの最大値を求める。
【００５０】
ここで、前記赤、緑、青及び白の４色の画素１３Ｒ，１３Ｇ，１３Ｂ，１３Ｗそれぞれの最大階調輝度をＬｍａｘＲ，ＬｍａｘＧ，ＬｍａｘＢ，ＬｍａｘＷ、前記赤、緑、青の３色の画素１３Ｒ，１３Ｇ，１３Ｂそれぞれの前記入力された赤、緑、青の３色の階調データに対応する輝度を入力データ対応輝度をＬＲ，ＬＧ，ＬＢとすると、前記最大階調輝度ＬｍａｘＲ，ＬｍａｘＧ，ＬｍａｘＢ，ＬｍａｘＷに対する前記入力データ対応輝度ＬＲ，ＬＧ，ＬＢの割合である入力データ対応輝度率ＲＲ，ＲＧ，ＲＢは、それぞれＲＲ＝ＬＲ／ＬｍａｘＲ，ＲＧ＝ＬＧ／ＬｍａｘＧ，ＲＢ＝ＬＢ／ＲｍａｘＢであり、前記３色の画素１３Ｒ，１３Ｇ，１３Ｂ相互の前記入力データ対応輝度率ＲＲ，ＲＧ，ＲＢの差の絶対値のうちの最大値を最大輝度率差ｄｍａｘは、｜ＲＲ−ＲＧ｜，｜ＲＧ−ＲＢ｜，｜ＲＢ−ＲＲ｜のうちの最大値である。
【００５１】
また、前記赤、緑、青及び白の４色の画素１３Ｒ，１３Ｇ，１３Ｂ，１３Ｗそれぞれの前記駆動階調データに対応する輝度を駆動データ対応輝度Ｌ′Ｒ，Ｌ′Ｇ，Ｌ′Ｂ，Ｌ′Ｗ、前記赤、緑、青及び白の４色の画素１３Ｒ，１３Ｇ，１３Ｂ，１３Ｗそれぞれの前記最大階調輝度ＬｍａｘＲ，ＬｍａｘＧ，ＬｍａｘＢ，ＬｍａｘＷに対する前記駆動データ対応輝度Ｌ′Ｒ，Ｌ′Ｇ，Ｌ′Ｂ，Ｌ′Ｗの割合Ｌ′Ｒ／ＬｍａｘＲ，Ｌ′Ｇ／ＬｍａｘＧ，Ｌ′Ｂ／ＬｍａｘＢ，Ｌ′Ｗ／ＬｍａｘＷをそれぞれ駆動データ対応輝度率Ｒ′Ｒ，Ｒ′Ｇ，Ｒ′Ｂ，Ｒ′Ｗとすると、これらの駆動データ対応輝度率のうちの赤、緑、青の３色の画素１３Ｒ，１３Ｇ，１３Ｂの駆動データ対応輝度率Ｒ′Ｒ，Ｒ′Ｇ，Ｒ′Ｂはそれぞれ、前記入力データ対応輝度率ＲＲ，ＲＧ，ＲＢに、前記最大輝度率差ｄｍａｘに対応する輝度率を加算し、且つ前記白色画素１３Ｗの駆動データ対応輝度率Ｒ′Ｗを差し引いた値によって表される。
【００５２】
前記最大輝度率差ｄｍａｘに対応する輝度率は、０〜ＬｍａｘＷ／（ＬｍａｘＲ＋ＬｍａｘＧ＋ＬｍａｘＢ）の範囲で、前記白色画素１３Ｗの特性に応じて予め定めた任意の値の設定輝度率（以下、この設定輝度率をｔとする）に、前記入力データ対応輝度率ＲＲ，ＲＧ，ＲＢの全階調数のうちの前記最大輝度率差ｄｍａｘの階調数に対応する階調数を除いた他の階調数を乗じ、さらに前記入力データ対応輝度率ＲＲ，ＲＧ，ＲＢを乗じた値、すなわち前記入力データ対応輝度率ＲＲ，ＲＧ，ＲＢの全階調数のうちの前記最大輝度率差ｄｍａｘの階調数に対応する階調数を除いた他の階調数に対応する部分に相当する。
【００５３】
また、前記白色画素１３Ｗの輝度率は、前記赤、緑、青の３色の画素１３Ｒ，１３Ｇ，１３Ｂそれぞれの最大階調輝度ＬｍａｘＲ，ＬｍａｘＧ，ＬｍａｘＢの和に対する白色画素１３Ｗの最大階調輝度ＬｍａｘＷの割合に、前記白色画素１３Ｗの駆動データ対応輝度率Ｒ′Ｗを乗じた値で表される。
【００５４】
そこで、この駆動方法においては、前記入力された赤、緑、青の３色の階調データに基づいて、
上述したように、前記赤、緑、青及び白の４色の画素１３Ｒ，１３Ｇ，１３Ｂ，１３Ｗそれぞれの最大階調輝度をＬｍａｘＲ，ＬｍａｘＧ，ＬｍａｘＢ，ＬｍａｘＷ、
前記赤、緑、青の３色の画素１３Ｒ，１３Ｇ，１３Ｂそれぞれの前記入力された赤、緑、青の３色の階調データに対応する輝度を入力データ対応輝度ＬＲ，ＬＧ，ＬＢ、
前記赤、緑、青の３色の画素１３Ｒ，１３Ｇ，１３Ｂそれぞれの前記最大階調輝度ＬｍａｘＲ，ＬｍａｘＧ，ＬｍａｘＢに対する前記入力データ対応輝度ＬＲ，ＬＧ，ＬＢの割合ＬＲ／ＬｍａｘＲ，ＬＧ／ＬｍａｘＧ，ＬＢ／ＲｍａｘＢをそれぞれ入力データ対応輝度率ＲＲ，ＲＧ，ＲＢ、
前記複数の表示要素１４毎の前記赤、緑、青の３色の画素１３Ｒ，１３Ｇ，１３Ｂ相互の前記入力データ対応輝度率ＲＲ，ＲＧ，ＲＢの差の絶対値｜ＲＲ−ＲＧ｜，｜ＲＧ−ＲＢ｜，｜ＲＢ−ＲＲ｜のうちの最大値を最大輝度率差dｍａｘ、
前記赤、緑、青及び白の４色の画素１３Ｒ，１３Ｇ，１３Ｂ，１３Ｗそれぞれのこれらの画素を駆動するための駆動階調データに対応する輝度を駆動データ対応輝度Ｌ′Ｒ，Ｌ′Ｇ，Ｌ′Ｂ，Ｌ′Ｗ、
前記赤、緑、青及び白の４色の画素１３Ｒ，１３Ｇ，１３Ｂ，１３Ｗそれぞれの前記最大階調輝度ＬｍａｘＲ，ＬｍａｘＧ，ＬｍａｘＢ，ＬｍａｘＷに対する前記駆動データ対応輝度Ｌ′Ｒ，Ｌ′Ｇ，Ｌ′Ｂ，Ｌ′Ｗの割合Ｌ′Ｒ／ＬｍａｘＲ，Ｌ′Ｇ／ＬｍａｘＧ，Ｌ′Ｂ／ＬｍａｘＢ，Ｌ′Ｗ／ＬｍａｘＷをそれぞれ駆動データ対応輝度率Ｒ′Ｒ，Ｒ′Ｇ，Ｒ′Ｂ，Ｒ′Ｗとするとき、
前記駆動データ対応輝度率Ｒ′Ｒ，Ｒ′Ｇ，Ｒ′Ｂ，Ｒ′Ｗが、
Ｒ′Ｒ＝ＲＲ{１＋ｔ（１−dｍａｘ）}−Ｒ′Ｗ・ＬｍａｘＷ／（ＬｍａｘＲ＋ＬｍａｘＧ＋ＬｍａｘＢ）
Ｒ′Ｇ＝ＲＧ{１＋ｔ（１−dｍａｘ）}−Ｒ′Ｗ・ＬｍａｘＷ／（ＬｍａｘＲ＋ＬｍａｘＧ＋ＬｍａｘＢ）
Ｒ′Ｂ＝ＲＢ{１＋ｔ（１−dｍａｘ）}−Ｒ′Ｗ・ＬｍａｘＷ／（ＬｍａｘＲ＋ＬｍａｘＧ＋ＬｍａｘＢ）
ただし、tは、０以上、ＬｍａｘＷ／（ＬｍａｘＷ＋ＬｍａｘＧ＋ＬｍａｘＢ）以下の範囲の予め定めた任意の値、
を満足する階調値に設定された前記複数の表示要素１４毎の赤、緑、青及び白の４色の駆動階調データを生成する。
【００５５】
すなわち、この駆動方法は、前記入力された赤、緑、青の３色の階調データに基づいて、赤色画素１３Ｒの駆動データ対応輝度率Ｒ′Ｒが、前記赤色画素１３Ｒの入力データ対応輝度率ＲＲと１＋ｔ（１−ｄｍａｘ）との積と、白色画素１３Ｗの駆動データ対応輝度率Ｒ′ＷにＬｍａｘＷ／（ＬｍａｘＲ＋ＬｍａｘＧ＋ＬｍａｘＢ）を乗じた値との差に等しくなり、緑色画素１３Ｇの駆動データ対応輝度率Ｒ′Ｇが、前記緑色画素１３Ｇの入力データ対応輝度率ＲＧと１＋ｔ（１−ｄmax）との積と、前記白色画素１３Ｗの駆動データ対応輝度率Ｒ′ＷにＬｍａｘＷ／（ＬｍａｘＲ＋ＬｍａｘＧ＋ＬｍａｘＢ）を乗じた値との差に等しくなり、且つ青色画素１３Ｂの駆動データ対応輝度率Ｒ′Ｂが、前記青色画素１３Ｂの入力データ対応輝度率ＲＢと１＋ｔ（１−ｄmax）との積と、前記白色画素１３Ｗの駆動データ対応輝度率Ｒ′ＷにＬｍａｘＷ／（ＬｍａｘＲ＋ＬｍａｘＧ＋ＬｍａｘＢ）を乗じた値との差に等しくなるように、前記複数の表示要素１４毎の赤、緑、青及び白の４色の諧調値を設定し、これらの諧調値の各駆動階調データを生成して、それぞれ対応した前記４色のデータ信号を前記複数の表示要素１４の赤、緑、青及び白の４色の画素１３Ｒ，１３Ｇ，１３Ｂ，１３Ｗにそれぞれ供給する。
【００５６】
（第１の実施例）
この駆動方法の具体的な実施例を説明すると、例えば前記液晶表示素子１が、赤、緑、青及び白の４色の画素１３Ｒ，１３Ｇ，１３Ｂ，１３Ｗそれぞれの輝度がこれらの画素１３Ｒ，１３Ｇ，１３Ｂ，１３Ｗを駆動するための駆動階調データの階調値に比例し、且つ白色画素１３Ｗの最大階調輝度ＬｍａｘＷが、前記赤、緑、青の３色の画素１３Ｒ，１３Ｇ，１３Ｂそれぞれの最大階調輝度ＬｍａｘＲ，ＬｍａｘＧ，ＬｍａｘＢの和と等しい特性を有するように設計された素子である場合、前記複数の表示要素１４毎の赤、緑、青及び白の４色の駆動階調データは、
前記入力された赤、緑、青の３色の階調データの階調値をＤＲ，ＤＧ，ＤＢ、前記赤、緑、青及び白の４色の駆動階調データの階調値をＤ′Ｒ，Ｄ′Ｇ，Ｄ′Ｂ，Ｄ′Ｗとするとき、
Ｄ′ＲはＤＲ{１＋ｔ（１−dｍａｘ）}−Ｃを整数化した値
Ｄ′ＧはＤＧ{１＋ｔ（１−dｍａｘ）}−Ｃを整数化した値
Ｄ′ＢはＤＢ{１＋ｔ（１−dｍａｘ）}−Ｃを整数化した値
Ｄ′ＷはＣを整数化した値
ただし、ｔ＝１、Ｃは、ＤＲ{１＋ｔ（１−dｍａｘ）}，ＤＧ{１＋ｔ（１−dｍａｘ）}，ＤＢ{１＋ｔ（１−dｍａｘ）}のうちの最も小さい値をＤｍｉｎとするとき、前記Ｄｍｉｎが最大階調未満の場合はそのＤｍｉｎを整数化した値、前記Ｄｍｉｎが前記最大階調以上の場合は最大階調の値とする、
にそれぞれ設定される。
【００５７】
ここで、前記入力された赤、緑、青の３色の階調データがそれぞれ、例えば階調値が０〜６３の６４段階のデータであるとすると、前記赤、緑、青及び白の４色の画素１３Ｒ，１３Ｇ，１３Ｂ，１３Ｗそれぞれの最大階調輝度（階調値が６３の階調データに対応したデータ信号を供給したときの輝度）ＬｍａｘＲ，ＬｍａｘＧ，ＬｍａｘＢ，ＬｍａｘＷは、
ＬｍａｘＲ＝２２ｃｄ／ｍ２
ＬｍａｘＧ＝６２ｃｄ／ｍ２
ＬｍａｘＢ＝１６ｃｄ／ｍ２
ＬｍａｘＷ＝１００ｃｄ／ｍ２
である。
【００５８】
すなわち、前記赤、緑、青及び白の４色の画素１３Ｒ，１３Ｇ，１３Ｂ，１３Ｗの最大階調輝度ＬｍａｘＲ，ＬｍａｘＧ，ＬｍａｘＢ，ＬｍａｘＷは、ＬｍａｘＷ＝ＬｍａｘＲ＋ＬｍａｘＧ＋ＬｍａｘＢの関係にある。
【００５９】
図７は前記液晶表示素子１の赤、緑、青及び白の４色の画素１３Ｒ，１３Ｇ，１３Ｂ，１３Ｗにそれぞれ前記最大階調の階調データに対応したデータ信号を供給したときの各色の画素１３Ｒ，１３Ｇ，１３Ｂ，１３Ｗから出射する赤、緑、青及び白の４色の光の分光特性を示している。
【００６０】
前記赤、緑、青の３色の画素１３Ｒ，１３Ｇ，１３Ｂの入力データ対応輝度率ＲＲ，ＲＧ，ＲＢ（ＲＲ＝ＬＲ／ＬｍａｘＲ，ＲＧ＝ＬＧ／ＬｍａｘＧ，ＲＢ＝ＬＢ／ＲｍａｘＢ）は、前記液晶表示素子１の赤、緑、青及び白の４色の画素１３Ｒ，１３Ｇ，１３Ｂ，１３Ｗそれぞれの輝度がこれらの画素１３Ｒ，１３Ｇ，１３Ｂ，１３Ｗを駆動するための駆動階調データの階調値に比例する場合、ＲＲ＝ＬＲ／６３，ＲＧ＝ＬＧ／６３，ＲＢ＝ＬＢ／６３で表せる。
【００６１】
また、前記１つの表示要素１４を構成する赤、緑、青及び白の４色の画素１３Ｒ，１３Ｇ，１３Ｂ，１３Ｗのうちの１色の画素に階調値が６３の階調データに対応するデータ信号を供給し、他の３色の画素に階調値が０の階調データに対応するデータ信号を供給したときの前記表示要素１４の表示の色度ｘ，ｙ（ｘコーディネイト値とｙコーディネイト値）は、
赤色画素１３Ｒに階調値が６３の階調データに対応したデータ信号を供給し、他の色の画素１３Ｇ，１３Ｂ，１３Ｗに階調値が０の階調データに対応したデータ信号を供給したとき、ｘ＝０．５６，ｙ＝０．３６
緑色画素１３Ｇに階調値が６３の階調データに対応したデータ信号を供給し、他の色の画素１３Ｒ，１３Ｂ，１３Ｗに階調値が０の階調データに対応したデータ信号を供給したとき、ｘ＝０．３４，ｙ＝０．５４
青色画素１３Ｂに階調値が６３の階調データに対応したデータ信号を供給し、他の色の画素１３Ｒ，１３Ｇ，１３Ｗに階調値が０の階調データに対応したデータ信号を供給したとき、ｘ＝０．１６，ｙ＝０．１３
白色画素１３Ｗに階調値が６３の階調データに対応したデータ信号を供給し、他の色の画素１３Ｒ，１３Ｇ，１３Ｂに階調値が０の階調データに対応したデータ信号を供給したとき、ｘ＝０．３１，ｙ＝０．３２
である。
【００６２】
一方、前記赤、緑、青及び白の４色の画素１３Ｒ，１３Ｇ，１３Ｇ，１３Ｗを駆動するための赤、緑、青及び白の４色の駆動階調データの階調値Ｄ′Ｒ，Ｄ′Ｇ，Ｄ′Ｂ，Ｄ′Ｗは、上述したように、
Ｄ′Ｒ＝ＤＲ｛１＋ｔ（１−ｄｍａｘ）｝−Ｃの整数化値
Ｄ′Ｇ＝ＤＧ｛１＋ｔ（１−ｄｍａｘ）｝−Ｃの整数化値
Ｄ′Ｂ＝ＤＢ｛１＋ｔ（１−ｄｍａｘ）｝−Ｃの整数化値
Ｄ′Ｗ＝Ｃの整数化値
に設定する。
【００６３】
この実施例では、前記入力された赤、緑、青の３色の階調データの最大階調値が６３であるため、前記ＤＲ｛１＋ｔ（１−ｄｍａｘ）｝，ＤＧ｛１＋ｔ（１−ｄｍａｘ）｝，ＤＢ｛１＋ｔ（１−ｄｍａｘ）｝のうちの最も小さい値Ｄｍｉｎに対応した係数Ｃは、前記Ｄｍｉｎが６３未満である場合はＣ＝Ｄｍｉｎとし、前記Ｄｍｉｎが６３以上の場合はＣ＝６３とする。
【００６４】
また、１つの表示要素１４における赤、緑、青の３色の画素１３Ｒ，１３Ｇ，１３Ｂ相互の前記入力データ対応輝度率ＲＲ，ＲＧ，ＲＢの差の絶対値｜ＲＲ−ＲＧ｜，｜ＲＧ−ＲＢ｜，｜ＲＢ−ＲＲ｜のうちの最大輝度率差dｍａｘは、前記表示要素１４に対する前記赤、緑、青の３色の階調データの階調値ＤＲ，ＤＧ，ＤＢに対応する。
【００６５】
前記１つの表示要素１４に対する赤、緑、青の３色の階調データが、赤、緑、青の３色を互いに異なる比率で混色させた中間色を定めたデータであるとき、例えば前記赤、緑、青の３色の階調データの階調値ＤＲ，ＤＧ，ＤＢが、ＤＲ＝４７，ＤＧ＝２９，ＤＢ＝１５のときは、ｄｍａｘ＝４７／６３−１５／６３＝３２／６３である。
【００６６】
そして、前記白色画素１３Ｗの特性に応じて予め定めた任意の値の設定輝度率ｔを、例えばｔ＝１とすると、
ＤＲ｛１＋ｔ（１−ｄｍａｘ）｝＝４７｛１＋１（１−３２／６３）｝＝７０．１３
ＤＧ｛１＋ｔ（１−ｄｍａｘ）｝＝２９｛１＋１（１−３２／６３）｝＝４３．２７
ＤＢ｛１＋ｔ（１−ｄｍａｘ）｝＝１５｛１＋１（１−３２／６３）｝＝２２．３８
Ｃ＝２２．３８
となる。
【００６７】
すなわち、前記赤、緑、青の３色の階調データの階調値ＤＲ，ＤＧ，ＤＢが、ＤＲ＝４７，ＤＧ＝２９，ＤＢ＝１５のときの前記赤、緑、青及び白の４色の駆動階調データの階調値Ｄ′Ｒ，Ｄ′Ｇ，Ｄ′Ｂ，Ｄ′Ｗは、
Ｄ′Ｒ＝７０．１３−２２．３８の整数化値＝４８
Ｄ′Ｇ＝４３．２７−２２．３８の整数化値＝２１
Ｄ′Ｂ＝２２．３８−２２．３８の整数化値＝０
Ｄ′Ｗ＝３８の整数化値＝２２
となる。
【００６８】
なお、このＤ′Ｒ，Ｄ′Ｇ，Ｄ′Ｂ，Ｄ′Ｒの値は、小数点以下の値の四捨五入による整数化値であるが、整数化は、他の手段、例えば小数点以下の値の切り捨てまたは切り上げ等によってもよい。
【００６９】
そのため、前記赤、緑、青及び白の４色の画素１３Ｒ，１３Ｇ，１３Ｂ，１３Ｗの駆動データ対応輝度Ｌ′Ｒ，Ｌ′Ｇ，Ｌ′Ｂ，Ｌ′Ｗは、
Ｌ′Ｒ＝２２×４８／６３＝１７ｃｄ／ｍ２
Ｌ′Ｇ＝６２×２１／６３＝２１ｃｄ／ｍ２
Ｌ′Ｂ＝１６×０／６３＝０ｃｄ／ｍ２
Ｌ′Ｗ＝１００×２２／６３＝３５ｃｄ／ｍ２
となり、これらの４色の画素１３Ｒ，１３Ｇ，１３Ｂ，１３Ｗにより構成された前記表示要素１４の色度ｘ，ｙが、ｘ＝０．３８，ｙ＝０．３８になる。
【００７０】
このｘ＝０．３８，ｙ＝０．３８の色度は、１つの表示要素を赤、緑、青の３色の画素により構成した３色画素表示素子における、１つの表示要素の赤、緑、青の３色の画素に、赤、緑、青の階調値がそれぞれ４７，２９，１５の３色の階調データに対応したデータ信号を供給したときの前記表示要素の表示の色度（発明が解決しようとする課題の項参照）と同じである。
【００７１】
なお、ここでは、入力された赤、緑、青の３色の階調データの階調値ＤＲ，ＤＧ，ＤＢが、ＤＲ＝４７，ＤＧ＝２９，ＤＢ＝１５のときの中間色表示について説明したが、他の中間色の表示、つまり、前記赤、緑、青の３色の階調データの階調値ＤＲ，ＤＧ，ＤＢがそれぞれ０以外の互いに異なる値であるとき、及び前記赤、緑、青の３色の階調データの階調値ＤＲ，ＤＧ，ＤＢのうちの１色の階調データの階調値が０、他の２色の階調データの階調値が０以外の互いに異なる値または同じ値であるときの中間色表示の色度も、前記３色画素表示素子の１つの表示要素を構成する赤、緑、青の３色の画素に、入力された赤、緑、青の３色の階調データに対応したデータ信号を供給したときの前記表示要素の色度と同じである。
【００７２】
したがって、入力された赤、緑、青の３色の階調データが中間色を定めたデータであるときの前記表示要素１４の表示色は、前記赤、緑、青の３色の階調データによって定められた色に対する色ずれがほとんど無い色である。
【００７３】
また、前記１つの表示要素１４に対する赤、緑、青の３色の階調データが、赤、緑、青のいずれか１色を定めたデータであるとき、例えば前記赤、緑、青の３色の階調データの階調値ＤＲ，ＤＧ，ＤＢが、ＤＲ＝６３，ＤＧ＝０，ＤＢ＝０のときは、ｄｍａｘ＝６３／６３−０／６３＝６３／６３＝１である。
【００７４】
そして、ｔ＝１とすると、
ＤＲ｛１＋ｔ（１−ｄｍａｘ）｝＝６３｛１＋１（１−１）｝＝６３
ＤＧ｛１＋ｔ（１−ｄｍａｘ）｝＝０｛１＋１（１−１）｝＝０
ＤＢ｛１＋ｔ（１−ｄｍａｘ）｝＝０｛１＋１（１−１）｝＝０
Ｃ＝０
となるため、
Ｄ′Ｒ＝６３
Ｄ′Ｇ＝０
Ｄ′Ｂ＝０
Ｄ′Ｒ＝０
となる。
【００７５】
すなわち、前記赤、緑、青の３色の階調データの階調値ＤＲ，ＤＧ，ＤＢが、ＤＲ＝６３，ＤＧ＝０，ＤＢ＝０のときの前記表示要素１４の輝度は、前記赤色画素１３Ｒの最大階調輝度ＬｍａｘＲ＝２２ｃｄ／ｍ２であり、色度ｘ，ｙは、ｘ＝０．５６，ｙ＝０．３６であり、前記赤、緑、青の３色の階調データによって定められた色に対する色ずれの無い赤色が表示される。
【００７６】
なお、前記赤、緑、青の３色の階調データの階調値ＤＲ，ＤＧ，ＤＢが、ＤＲ＝０，ＤＧ＝６３，ＤＢ＝０のときは、前記赤、緑、青の３色の階調データによって定められた色に対する色ずれの無い緑色が表示され、ＤＲ＝０，ＤＧ＝０，ＤＢ＝６３のときは、前記赤、緑、青の３色の階調データによって定められた色に対する色ずれの無い青色が表示される。
【００７７】
さらに、前記１つの表示要素１４に対する赤、緑、青の３色の階調データが白色を定めたデータであるとき、つまり前記赤、緑、青の３色の階調データの階調値ＤＲ，ＤＧ，ＤＢが、ＤＲ＝６３，ＤＧ＝６３，ＤＢ＝６３のときは、ｄｍａｘ＝６３／６３−６３／６３＝０である。
【００７８】
そして、ｔ＝１とすると、
ＤＲ｛１＋ｔ（１−ｄｍａｘ）｝＝６３｛１＋１（１−０）｝＝１２６
ＤＧ｛１＋ｔ（１−ｄｍａｘ）｝＝６３｛１＋１（１−０）｝＝１２６
ＤＢ｛１＋ｔ（１−ｄｍａｘ）｝＝６３｛１＋１（１−０）｝＝１２６
Ｃ＝６３
となるため、
Ｄ′Ｒ＝６３
Ｄ′Ｇ＝６３
Ｄ′Ｂ＝６３
Ｄ′Ｒ＝６３
となる。
【００７９】
すなわち、前記赤、緑、青の３色の階調データの階調値ＤＲ，ＤＧ，ＤＢが、ＤＲ＝６３，ＤＧ＝６３，ＤＢ＝６３のときの前記表示要素１４の輝度は、前記赤、緑、青及び白の４色の画素１３Ｒ，１３Ｇ，１３Ｂ，１３Ｗの最大階調輝度ＬｍａｘＲ（２２ｃｄ／ｍ２），ＬｍａｘＧ（６２ｃｄ／ｍ２），ＬｍａｘＢ（１６ｃｄ／ｍ２），ＬｍａｘＷ（１００ｃｄ／ｍ２）の和、２２＋６２＋１６＋１００＝２００ｃｄ／ｍ２であり、色度は、ｘ＝０．３１，ｙ＝０．３２であり、前記赤、緑、青の３色の階調データによって定められた色に対する色ずれの無い白色が表示される。この白表示のときの輝度（２００ｃｄ／ｍ２）は、前記３色画素液晶表示素子の白表示の輝度の１．５倍である。
【００８０】
なお、前記赤、緑、青の３色の階調データの階調値ＤＲ，ＤＧ，ＤＢがそれぞれ０のときは、前記赤、緑、青の３色の階調データによって定められた色に対する色ずれの無い黒色が表示され、前記階調値ＤＲ，ＤＧ，ＤＢがそれぞれ０以上、６３未満の範囲の同じ値のときは、前記赤、緑、青の３色の階調データによって定められた色に対する色ずれの無い灰色（白と黒の中間色）が表示される。
【００８１】
このように、前記駆動方法によれば、入力された赤、緑、青の３色の階調データが中間色を定めたデータであるとき、つまり、前記赤、緑、青の３色の階調データの階調値ＤＲ，ＤＧ，ＤＢがそれぞれ０以外で且つ互いに異なる値であるとき、及び前記赤、緑、青の３色の階調データの階調値ＤＲ，ＤＧ，ＤＢのうちの１色の階調データの階調値が０、他の２色の階調データの階調値が０以外の互いに異なる値または同じ値であるときの、前記赤、緑、青の３色の階調データによって定められた色に対する前記表示要素１４の表示色の色ずれを低減し、前記赤、緑、青及び白の４色の画素１３Ｒ，１３Ｇ，１３Ｂ，１３Ｗにより１つの表示要素１４を構成した液晶表示素子１に、入力された三原色の階調データに対応した色再現性の良いカラー画像を表示させることができる。
【００８２】
なお、上記各実施例では、前記白色画素１３Ｗの特性に応じて予め定めた任意の値の設定輝度率ｔを、ｔ=１としたが、この設定輝度率ｔは、０以上、ＬｍａｘＷ／（ＬｍａｘＷ＋ＬｍａｘＧ＋ＬｍａｘＢ）以下の範囲の予め定めた任意の値であればよく、設定輝度率ｔを小さくすることにより、前記中間色表示における白色と他の色の表示の輝度比を前記３色画素表示素子の輝度比により近くし、前記赤、緑、青の３色の階調データによって定められた色に対する色ずれをさらに効果的に低減することができる。
【００８３】
例えば、前記３色画素表示素子の白色と黄色の表示の輝度比が１：０．８３である場合、この発明の駆動方法においてｔ=１としたときの前記液晶表示素子１の白色と黄色の表示の輝度比は１：０．４２であるが、ｔ=０．５とすると、白色と黄色の表示の輝度比が１：０．５５になる。ただし、白表示の輝度は前記３色画素表示素子の白表示の約１．１倍になる。
【００８４】
そのため、設定輝度率ｔを小さくすることにより、前記３色画素表示素子と、前記赤、緑、青及び白の４色の画素１３Ｒ，１３Ｇ，１３Ｂ，１３Ｗにより１つの表示要素１４を構成した液晶表示素子１との、白色と他の色の表示の輝度比の違いによる表示色の違和感をほとんど無くすことができる。
【００８５】
また、上記実施例では、前記ＤＲ｛１＋ｔ（１−ｄｍａｘ）｝，ＤＧ｛１＋ｔ（１−ｄｍａｘ）｝，ＤＢ｛１＋ｔ（１−ｄｍａｘ）｝のうちの最も小さい値Ｄｍｉｎに対応した係数Ｃを、前記Ｄｍｉｎが最大階調（上記実施例では階調値６３）未満の場合はＣ＝Ｄｍｉｎとし、前記Ｄｍｉｎが前記最大階調以上の場合はＣ＝６３としたが、この係数Ｃは、Ｄｍｉｎ以下、ＤＲ｛１＋ｔ（１−ｄｍａｘ）｝，ＤＧ｛１＋ｔ（１−ｄｍａｘ）｝，ＤＢ｛１＋ｔ（１−ｄｍａｘ）｝のうちの最も大きい値Ｄｍａｘから前記最大階調値を差し引いた値以上の範囲の任意の値としてもよい。
【００８６】
この係数Ｃは、前記液晶表示素子１の画素配列が、表示要素１４の中央、つまり赤、緑、青の３色の画素１３Ｒ，１３Ｇ，１３Ｂのうちの２色の画素の間に白色画素１３Ｗが位置した配列であるときは、なるべく大きい値にするのが好ましく、このようにすることにより、白表示の輝度を、赤、緑、青の３色の画素１３Ｒ，１３Ｇ，１３Ｂの輝度に比べて高くし、画面をより明るくすることができる。
【００８７】
また、前記液晶表示素子１の画素配列が、表示要素１４の端に白色画素１３Ｗが位置した配列であるときは、前記係数Ｃをなるべく小さい値にするのが好ましく、このようにすることにより、入力された赤、緑、青の３色の階調データに対応した、より色再現性の良いカラー画像を表示することができる。この場合、前記係数Ｃは、前記Ｄｍａｘが入力された階調データの最大階調以上の場合はＤｍｉｎから最大階調値を差し引いた値にし、前記Ｄｍｉｎが最大階調未満の場合はＣ＝０にすればよい。
【００８８】
さらに、上記実施例は、前記液晶表示素子１が、前記赤、緑、青及び白の４色の画素１３Ｒ，１３Ｇ，１３Ｂ，１３Ｗそれぞれの輝度がこれらの画素１３Ｒ，１３Ｇ，１３Ｂ，１３Ｗに供給された階調データの階調値に比例し、且つ前記白色画素１３Ｗの最大階調輝度ＬｍａｘＷが、前記赤、緑、青の３色の画素１３Ｒ，１３Ｇ，１３Ｂそれぞれの最大階調輝度ＬｍａｘＲ，ＬｍａｘＧ，ＬｍａｘＢの和と等しい特性を有している場合に適用するが、この発明の駆動方法は、前記液晶表示素子１が他の特性を有する場合にも適用することができる。
【００８９】
（第２の実施例）
すなわち、前記液晶表示素子１が、前記赤、緑、青及び白の４色の画素１３Ｒ，１３Ｇ，１３Ｂ，１３Ｗそれぞれの輝度がこれらの画素１３Ｒ，１３Ｇ，１３Ｂ，１３Ｗに供給された階調データの階調値に比例し、且つ前記白色画素１３Ｗの最大階調輝度ＬｍａｘＷが、前記赤、緑、青の３色の画素１３Ｒ，１３Ｇ，１３Ｂそれぞれの最大階調輝度ＬｍａｘＲ，ＬｍａｘＧ，ＬｍａｘＢの和と異なる特性を有している場合は、前記赤、緑、青及び白の４色の駆動階調データの階調値Ｄ′Ｒ，Ｄ′Ｇ，Ｄ′Ｂ，Ｄ′Ｗを、
Ｄ′ＲはＤＲ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＧはＤＧ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＢはＤＢ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＷはＣ′を整数化した値
ただし、ｔ=１、Ｃ′は、ＤＲ{１＋ｔ（１−dｍａｘ）（ＬｍａｘＲ＋ＬｍａｘＧ＋ＬｍａｘＢ）／ＬｍａｘＷ}，ＤＧ{１＋ｔ（１−dｍａｘ）}（ＬｍａｘＲ＋ＬｍａｘＧ＋ＬｍａｘＢ）／ＬｍａｘＷ，ＤＢ{１＋ｔ（１−dｍａｘ）}（ＬｍａｘＲ＋ＬｍａｘＧ＋ＬｍａｘＢ）／ＬｍａｘＷのうちの最も小さい値をＤ′ｍｉｎとするとき、前記Ｄ′ｍｉｎが最大階調未満の場合はそのＤ′ｍｉｎを整数化した値、前記Ｄ′ｍｉｎが前記最大階調以上の場合は最大階調の値とする、
を満足する諧調値にそれぞれ設定する。
【００９０】
この実施例によれば、入力された赤、緑、青の３色の階調データが中間色を定めたデータであるときの、前記赤、緑、青の３色の階調データによって定められた色に対する前記表示要素１４の表示色の色ずれを低減し、前記特性を有する液晶表示素子１に、入力された三原色の階調データに対応した色再現性の良いカラー画像を表示させることができる。
【００９１】
なお、この実施例では、前記白色画素１３Ｗの特性に応じて予め定めた任意の値の設定輝度率ｔを、ｔ=１としたが、この設定輝度率ｔは、０以上、ＬｍａｘＷ／（ＬｍａｘＷ＋ＬｍａｘＧ＋ＬｍａｘＢ）以下の範囲の予め定めた任意の値であればよい。
【００９２】
（第３の実施例）
また、前記液晶表示素子１が、前記赤、緑、青及び白の４色の画素１３Ｒ，１３Ｇ，１３Ｂ，１３Ｗそれぞれの輝度がこれらの画素１３Ｒ，１３Ｇ，１３Ｂ，１３Ｗに供給された階調データの階調値の比例以外の関数で表され、且つ前記白色画素１３Ｗの最大階調輝度ＬｍａｘＷが、前記赤、緑、青の３色の画素１３Ｒ，１３Ｇ，１３Ｂそれぞれの最大階調輝度ＬｍａｘＲ，ＬｍａｘＧ，ＬｍａｘＢの和と等しい特性を有している場合は、前記赤、緑、青及び白の４色の駆動階調データの階調値Ｄ′Ｒ，Ｄ′Ｇ，Ｄ′Ｂ，Ｄ′Ｗを、
前記赤、緑、青の３色の階調データＤＲ，ＤＧ，ＤＢをそれぞれ輝度ＬＲ，ＬＧ，ＬＢに変換し、
Ｌ′Ｒ／ＬｍａｘＲ＝ＬＲ{１＋ｔ（１−dｍａｘ）}／ＬｍａｘＲ−Ｃ″・ＬｍａｘＷ／（ＬｍａｘＲ＋ＬｍａｘＧ＋ＬｍａｘＢ）
Ｌ′Ｇ／ＬｍａｘＧ＝ＬＧ{１＋ｔ（１−dｍａｘ）}／ＬｍａｘＧ−Ｃ″・ＬｍａｘＷ／（ＬｍａｘＲ＋ＬｍａｘＧ＋ＬｍａｘＢ）
Ｌ′Ｂ／ＬｍａｘＢ＝ＬＢ{１＋ｔ（１−dｍａｘ）}／ＬｍａｘＢ−Ｃ″・ＬｍａｘＷ／（ＬｍａｘＲ＋ＬｍａｘＧ＋ＬｍａｘＢ）
Ｌ′Ｗ／ＬｍａｘＷ＝Ｃ″
ただし、ｔ=１、Ｃ″は、ＬＲ{１＋ｔ（１−dｍａｘ）}（ＬｍａｘＲ＋ＬｍａｘＧ＋ＬｍａｘＢ）／ＬｍａｘＲ・ＬｍａｘＷ，ＬＧ{１＋ｔ（１−dｍａｘ）}（ＬｍａｘＲ＋ＬｍａｘＧ＋ＬｍａｘＢ）／ＬｍａｘＧ・ＬｍａｘＷ，ＬＢ{１＋ｔ（１−dｍａｘ）}（ＬｍａｘＲ＋ＬｍａｘＧ＋ＬｍａｘＢ）／ＬｍａｘＢ・ＬｍａｘＷのうちの最も小さい値をＤ″ｍｉｎとするとき、Ｄ″ｍｉｎが１以下の場合はその値Ｄ″ｍｉｎを整数化した値、前記Ｄ″ｍｉｎが１より大きい場合は１とする、
の各式により前記赤、緑、青及び白の４色の画素それぞれの輝度Ｌ′Ｒ，Ｌ′Ｇ，Ｌ′Ｂ，Ｌ′Ｗを求め、これらの輝度Ｌ′Ｒ，Ｌ′Ｇ，Ｌ′Ｂ，Ｌ′Ｗを階調値に逆変換した値の諧調値にそれぞれ設定する。
【００９３】
この実施例によれば、入力された赤、緑、青の３色の階調データが中間色を定めたデータであるときの、前記赤、緑、青の３色の階調データによって定められた色に対する前記表示要素１４の表示色の色ずれを低減し、前記特性を有する液晶表示素子１に、入力された三原色の階調データに対応した色再現性の良いカラー画像を表示させることができる。
【００９４】
なお、この実施例では、前記白色画素１３Ｗの特性に応じて予め定めた任意の値の設定輝度率ｔを、ｔ=１としたが、この設定輝度率ｔは、０以上、ＬｍａｘＷ／（ＬｍａｘＷ＋ＬｍａｘＧ＋ＬｍａｘＢ）以下の範囲の予め定めた任意の値であればよい。
【図面の簡単な説明】
【００９５】
【図１】液晶表示装置の構成図。
【図２】液晶表示素子の一部分の断面図。
【図３】前記液晶表示素子の画素配列例を示す図。
【図４】前記液晶表示素子の他の画素配列例を示す図。
【図５】前記液晶表示素子の他の画素配列例を示す図。
【図６】前記液晶表示素子の他の画素配列例を示す図。
【図７】前記液晶表示素子の赤、緑、青及び白の４色の画素にそれぞれ前記最大階調の階調データに対応したデータ信号を供給したとき各色の画素から出射する赤、緑、青及び白の４色の光の分光特性図。
【符号の説明】
【００９６】
１…液晶表示素子、１３Ｒ…赤色画素、１３Ｇ…緑色画素、１３Ｂ…青色画素、１３Ｗ…白色画素、１４…表示要素、１５…駆動手段。
【図１】
0005029266.tif 000002
【図２】
0005029266.tif 000003
【図３】
0005029266.tif 000004
【図４】
0005029266.tif 000005
【図５】
0005029266.tif 000006
【図６】
0005029266.tif 000007
【図７】
0005029266.tif 000008